(57)【要約】【課題】従来の換気補助錠は警報機能はないので、侵入者がさらに窓を開けようとしたらブザーが鳴る警報機能付き換気補助錠を提供する。【解決手段】  ケース２の一方側下縁に切り欠き部５を設け、その切り欠き部５に、係合ツメ６と突片７を有し、かつコイルバネ８を介在させた係止板９を位置した隣に、前記係止板９の突片７に、鍵穴１０付き解除板１２の駆動ツメ１１を係合させた上面にガイド板を重ね、その上に戸当て片２２と駆動片２０付き作動板２４をスライド可能に取り付けた隣に、前記駆動片２０が係合する２枚のスイッチ板１４，１４ａを位置し、そのスイッチ板１４，１４ａに接続したブザーと回路基板１６で成る回路部４をカバー２６した補助錠本体に、下辺に係合凹部２８を複数個設けたレールプレート３１と鍵３２を組み合わせて成る警報機能付き換気補助錠１とする。【選択図】図１
0003115983.tif 000002
【実用新案登録請求の範囲】
【請求項１】
背面が開放したケースの一方側下縁に切り欠き部を設け、該、切り欠き部に、下部に係合ツメを有し、上部に突片を設け、かつコイルバネを介在させた係止板を縦位置にするとともに、その隣に、前記係止板の突片に、鍵穴付き解除板の駆動ツメを係合位置して成る前記係止板と解除板の上面に、上下をコの字状に曲げたガイド板を重ね、該、ガイド板の上に、一方に戸当て片を、他方に駆動片を設けた作動板をスライド自在に取り付けた作動部を形成し、該、作動部の隣に、前記した作動板の駆動片が係合する２枚のスイッチ板を位置し、該、スイッチ板に接続したブザーと回路基板で成る回路部を他部に設けた補助錠本体に、下辺に係合凹部を複数個設け、かつ、裏面に接着剤を設けたレールプレートと鍵を組み合わせて成る警報機能付き換気補助錠。
【請求項２】
上記するレールプレートに留めネジ穴を設けて成る請求項１に記載する警報機能付き換気補助錠。
【考案の詳細な説明】
【技術分野】
【０００１】  本考案は、窓を一定間隔開けて換気ができるとともに、それ以上開けようとすると警報ブザーが鳴る換気補助錠に関する。
【背景技術】
【０００２】  従来、窓を人が侵入できない程度に一定間隔開けて換気ができるタイプの換気機能付き補助錠の技術が提供されている。（特許文献１参照）
【特許文献１】特開２００５−６３９７９公報（第３−４頁、図１）
【考案の開示】
【考案が解決しようとする課題】
【０００３】  上記する特開２００５−６３９７９公報による補助錠は、窓を人が侵入できない程度に一定間隔開けて換気ができる便利な補助錠である。しかし公知された技術は機能的ではあるが次の点において不便があった。まず、人が侵入できない程度の間隔まで窓を開けて換気できるが、侵入者がそれ以上開けて入ろうとした場合でも開けられないので侵入防止効果はあるが、不法行為をしてもブザーなど鳴ることはないので、近くに人が居ない限りその不審行為を発見することはできない。さらに不審者が侵入できなくても一定間隔に開けているため、侵入者が長い棒や道具を使ってロックボタンを押すと解除される危険があるため、必ずしも侵入者が入るのを完全には防止できない補助錠であった。
【課題を解決するための手段】
【０００４】  本考案は、以上のような欠点を解消した換気補助錠とするために、請求項１においては、背面が開放したケースの一方側下縁に切り欠き部を設け、該、切り欠き部に、下部に係合ツメを有し、上部に係合片を設け、かつコイルバネを介在させた係止板を縦位置にするとともに、その隣には、前記係止板の突片に鍵穴付き解除板の駆動ツメを係合位置して成る前記係止板及び解除板面に、上下をコの字状に曲げたガイド板を重ね、該、ガイド板の上に、一方に戸当て片を、他方に駆動片を設けた作動板をスライド自在に取り付けた作動部を形成し、該、作動部の隣に、前記作動板の駆動片が係合する２枚のスイッチ板を位置し、該、スイッチ板に接続したブザーと回路基板とで成る回路部を他部に設けた補助錠本体に、下辺に係合凹部を複数個設け、かつ裏面に接着剤を設けたレールプレートと鍵を組み合わせた換気補助錠とすることで、窓を一定間隔開けて換気ができるとともに、侵入者がそれ以上に開けようとした際はブザーが鳴って知らせることができるものとする。【０００５】  請求項２においては、上記するレールプレートに固定ネジ穴を設けることで、ネジでも窓枠に取り付けられる換気補助錠とする。
【考案の効果】
【０００６】  本考案による換気補助錠は、換気できるとともに警報機能を備えており、窓枠に取り付ける際は、レールプレートの裏面の剥離紙を剥がしてから図６に示すように、引き違い戸の外側に位置する窓の下枠に貼り付けるだけで、強固にしてきわめて簡単に取り付けられ、かつ、組み合わされている補助錠本体は、鍵を差し込んで少し回すと、解除板の駆動ツメが作動板の係止突片を押し下げることで、係合ツメがレールプレートの係合凹部より離脱して任意の位置に補助錠本体を固定できるので、窓の開放間隔も自在に設定して換気することができるうえ、鍵を抜くとロックされるので、例えば、開放部より長い棒など用いて換気補助錠を悪戯してもロックを解除することができない錠となる。【０００７】  さらに、侵入者が無理やり開けようとすると、窓枠が戸当て片を押すに連動してスライドすると、スイッチ板が接触するとともに回路が作動して警報ブザーが鳴るので、即座に異常事態を家人や周囲に知らせるとともに、侵入者を驚かせて退散させることができる。また、開放した窓の間隔は幼児でも外に出られない幅であるが、仮に幼児が窓を開けようとした場合でもブザーで知らせることができるので親は安心して遊ばせられるなど、取り付け易く、かつ、機能性も高い警報機能付き換気補助錠を提供することができる。
【考案を実施するための最良の形態】
【０００８】  一定の間隔に窓を開放できるとともに、不審者が開けようとした際はブザーで知らせることができる換気補助錠とするために、戸当て部の作動板がスライドすることでブザーが鳴り、かつ換気機能も有するものとする。
【実施例】
【０００９】  本考案による換気補助錠の実施例を、図１に示す一部分解した背面斜視図と図２及び図３の補助錠本体の作動部を示す一部省略した拡大正面図、図４に示す補助錠本体の正面図、図５に示すの換気補助錠の正面図で説明する。
本考案による換気補助錠１は、背部が開放された長方形状のケース２の一方側に、窓の戸に対応する作動部３を位置し、かつ、他方側には異常を報知する回路部４を位置するものとし、まず、一方の作動部３側の下部縁には、中ほどまで切り欠き部５を設け、その切り欠き部５には、下端部をコの字状に曲げた係合ツメ６を有し、かつ上部寄り一方に突片７を形成した下部にコイルバネ８を介在させた係止板９を位置するとともに、前記突片７側の隣の区画には、鍵穴１０と駆動ツメ１１を有する解除板１２の前記駆動ツメ１１を、前記した係止板９の突片７に係合するように位置したケース２の正面側に、前記した解除板１２の鍵穴１０部位に差し込み穴１３を設ける。【００１０】  次に、前記作動部３の隣に狭い区画を設け、その区画の上部には、導電性金属板による逆Ｊ字状のスイッチ板１４を位置し、下部には前記したスイッチ板１４に接触する略Ｌ字状のスイッチ板１４ａを位置するとともに、その隣の区画には、ブザー１５と回路基板１６と電池１７を備えた回路部４を設け、その回路部４と前記したスイッチ板１４、１４ａをリード線で接続したケース２の正面側に電源スイッチ１８を設ける。【００１１】  さらに、前記した作動部３の係止板９及び解除板１２の上面には、上下をコの字状に曲げたガイド板１９を重ね、その上部には、前記したＬ字状のスイッチ板１４ａに係合する駆動片２０を一方に設け、他方にはキャップ２１を付けた戸当て片２２をそれぞれ曲げ形成した板の左右に楕円状のスライドネジ穴２３，２３を設けた作動板２４を重ねたうえで、前記するガイド板１９と作動板２４をネジ２５留めするとともに、前記した回路部４もカバー２６をネジ２５留めして成る補助錠本体２７を形成し、その補助錠本体２７のガイド板１９に、一定長の板の下辺に略三角状の係合凹部２８を等間隔に設け、かつ、裏面中ほど面には、剥離紙２９付き接着剤３０を設けたレールプレート３１を組み合わせるとともに、鍵３２を組み合わせて成る換気補助錠１を構成する。【００１２】  本考案における補助錠１は、ケース２の一方に電池１７とブザー１５を備えた回路部４の隣に２枚のスイッチ板１４，１４ａを位置し、その隣に位置した作動板２４の駆動片２０を、前記したＬ字状のスイッチ板１４ａに係合した状態でスライドネジ穴２３を介してネジ２５留めしているので、キャップ２１付き戸当て片２２が押されるとスライドするに連動して、駆動片２０が２枚のスイッチ板１４，１４ａを接触させ回路部４を作動させることでブザー１５を鳴らす。さらに係合ツメ６を有する係止板９にはコイルバネ８を介在しているので、通常は組み合わせているレールプレート３１の係合凹部２８に係合ツメ６が係止されているが、鍵３２を解除板１２の鍵穴１０に差し込んで回すと、解除板１２の駆動ツメ１１が係止板９の突片７を押し下げることで、係合ツメ６はレールプレート３１の係合凹部２８より離脱して補助錠本体２７は左右にスライド可能となり、鍵３２を抜くとコイルバネ８により係合ツメ６が係合凹部２８に戻るので完全にロックされる。加えて、回路部４は一定時間経つと一旦ブザー１５は鳴り止むが、再度スイッチオン状態になり、電源スイッチ１８で回路オフとすることができる。【００１３】  本考案による換気補助錠１に組み合わされるレールプレート３１の取り付け手段は、裏面に設けた接着剤３０により強固に窓枠に固定できるが、ネジ穴を設けてネジ止めできる方式でもよく、特に限定するものではない。
【図面の簡単な説明】
【００１４】
【図１】本考案の換気補助錠の実施例を示す一部分解した背面斜視図である。
【図２】補助錠本体の作動部を示す一部省略した拡大背面図である。
【図３】補助錠本体の作動部に、ガイド板と作動板を加えた状態を示す一部省略した拡大背面図である。
【図４】補助錠本体を示す正面図である。
【図５】本考案の換気補助錠を示す正面図である。
【図６】本考案の換気補助錠を窓枠に取り付けた使用状態を示す参考図である。
【符号の説明】
【００１５】  １  換気補助錠
２  ケース
５  切り欠き部
６  係合ツメ
７  突片
８  コイルバネ
９  係止板
１０  鍵穴
１１  駆動ツメ
１２  解除板
１３  差し込み穴
１４  スイッチ板
１４ａ  スイッチ板
１５  ブザー
１６  回路基板
１８  電源スイッチ
１９  ガイド板
２０  駆動片
２２  戸当て片
２４  作動板
２６  カバー
２７  補助錠本体
２８  係合凹部
３０  接着剤
３１  レールプレート
３２  鍵
【図１】
0003115983.tif 000003
【図２】
0003115983.tif 000004
【図３】
0003115983.tif 000005
【図４】
0003115983.tif 000006
【図５】
0003115983.tif 000007
【図６】
0003115983.tif 000008